(57)【要約】      （修正有）【課題】壁面に貼り付けられる吸音材・断熱材が様々な厚みに設定された場合でも対応可能な配管支持具用台座の提供。【解決手段】吸音材・断熱材が貼り付けられた壁面に配管・配線を配設支持する配管支持具を取付ける台座において、台座１が壁面に固定される固定板２１と、固定板２１から立設する支持筒体２２とを有する壁面固定部２と、配管支持具が固定されるフランジ板３１と、フランジ板３１から垂設するスライド筒体３２とを有する配管支持具固定部３とを有し、支持筒体２２とスライド筒体３２のいずれか一方が他方に重層状態に挿通されて高さ調節可能にスライドする構成であり、支持筒体２２とスライド筒体３２とが間隙を有して重層した際の対抗する面の一方又は両方に弾性係止部２４・３３を設けた。【選択図】図１
2020070831.tif 000002
【特許請求の範囲】
【請求項１】
クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持筒体と、を有する壁面固定部と、
配管支持具が載置状態で固定されるフランジ板と、該フランジ板から垂設するスライド筒体と、を有する配管支持具固定部と、
を有し、
前記支持筒体の内側に前記スライド筒体が間隙を有して重層状態で挿通される構成、又は前記スライド筒体の内側に前記支持体が間隙を有して重層状態で挿通される構成、のいずれかであると共に、前記フランジ板の高さ位置が前記吸音材・断熱材の表面と略同等高さとなるように前記支持筒体に対して前記スライド筒体が高さ調節可能にスライドする構成であり、
前記支持筒体と前記スライド筒体とが重層した際に間隙を有して対向する面のいずれか一方又は両方に、対向する面の方向に付勢されて該面を押圧する弾性係止部が設けられ、
前記支持筒体に対して前記スライド筒体を、前記吸音材・断熱材の厚み方向に前記弾性係止部の押圧による摩擦係止に抗して移動させて任意の位置に摩擦係止することにより、前記吸音材・断熱材の表面と略同等高さに配管支持具を取付けることを可能とする構成であること、
を特徴とする配管支持具用台座。
【請求項２】
前記支持筒体とスライド筒体が、大きさの異なる断面を有することにより重層状態で挿通可能な正円筒体と正円筒体の組合せであることを特徴とする請求項１に記載の配管支持具用台座。
【請求項３】
前記支持筒体とスライド筒体が、大きさの異なる相似断面形状を有することにより重層状態で挿通可能な多角形筒体と多角形筒体の組合せであることを特徴とする請求項１に記載の配管支持具用台座。
【請求項４】
前記支持筒体とスライド筒体が、正三角形筒体と正三角形筒体、正四角形筒体と正四角形筒体、正五角形筒体と正五角形筒体、正六角形筒体と正六角形筒体、正八角形筒体と正八角形筒体から選ばれるいずれかの組合せであることを特徴とする請求項３に記載の配管支持具用台座。
【請求項５】
前記弾性係止部が、合成ゴム、天然ゴム、シリコンから選ばれるゴム状部材から形成された構成であることを特徴とする請求項１〜４のいずれかに記載の配管支持具用台座。
【請求項６】
前記弾性係止部が、コイル状バネ、板状バネから選ばれるバネ部材から形成された構成であることを特徴とする請求項１〜４のいずれかに記載の配管支持具用台座。
【発明の詳細な説明】
【技術分野】
【０００１】
本発明は配管支持具用台座に関し、詳しくはクッション性を有する吸音材・断熱材が貼り付けられた壁面に、配管・配線を配設支持する配管支持具を前記吸音材・断熱材の厚みを考慮した状態で取付けるための配管支持具用台座に関する。
【背景技術】
【０００２】
吸音材・断熱材が貼り付けられた壁面に、配管・配線を配設支持する配管支持具を取付けるための台座としては、例えば、特許文献１に記載の技術等が知られている。
【０００３】
特許文献１に記載の技術によれば、壁面に貼られた吸音材・断熱材に形成した挿入穴に台座を挿入し、この台座の固定板を壁面にボルトやネジの如き固定手段により固定し、前記吸音材・断熱材の表面と略同等高さに位置するフランジ板に配管支持具を載置した状態で取付固定することができる。
【先行技術文献】
【特許文献】
【０００４】
【特許文献１】意匠登録第１５６９８８０号公報
【発明の概要】
【発明が解決しようとする課題】
【０００５】
しかし特許文献１に記載の技術では、施工場所の設計条件に応じて吸音材・断熱材の厚みが様々な厚みに設定された場合、この吸音材・断熱材の様々な厚み毎に適した複数種類の高さの台座を用意しなければならないという問題点を有している。
【０００６】
そこで本発明の課題は、壁面に貼り付けられる吸音材・断熱材が様々な厚みに設定された場合であっても対応可能な配管支持具用台座を提供することにある。
【課題を解決するための手段】
【０００７】
上記課題を解決する本発明は下記構成を有する。
【０００８】
１．クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持筒体と、を有する壁面固定部と、
配管支持具が載置状態で固定されるフランジ板と、該フランジ板から垂設するスライド筒体と、を有する配管支持具固定部と、
を有し、
前記支持筒体の内側に前記スライド筒体が間隙を有して重層状態で挿通される構成、又は前記スライド筒体の内側に前記支持体が間隙を有して重層状態で挿通される構成、のいずれかであると共に、前記フランジ板の高さ位置が前記吸音材・断熱材の表面と略同等高さとなるように前記支持筒体に対して前記スライド筒体が高さ調節可能にスライドする構成であり、
前記支持筒体と前記スライド筒体とが重層した際に間隙を有して対向する面のいずれか一方又は両方に、対向する面の方向に付勢されて該面を押圧する弾性係止部が設けられ、
前記支持筒体に対して前記スライド筒体を、前記吸音材・断熱材の厚み方向に前記弾性係止部の押圧による摩擦係止に抗して移動させて任意の位置に摩擦係止することにより、前記吸音材・断熱材の表面と略同等高さに配管支持具を取付けることを可能とする構成であること、
を特徴とする配管支持具用台座。
【０００９】
２．前記支持筒体とスライド筒体が、大きさの異なる断面を有することにより重層状態で挿通可能な正円筒体と正円筒体の組合せであることを特徴とする上記１に記載の配管支持具用台座。
【００１０】
３．前記支持筒体とスライド筒体が、大きさの異なる相似断面形状を有することにより重層状態で挿通可能な多角形筒体と多角形筒体の組合せであることを特徴とする上記１に記載の配管支持具用台座。
【００１１】
４．前記支持筒体とスライド筒体が、正三角形筒体と正三角形筒体、正四角形筒体と正四角形筒体、正五角形筒体と正五角形筒体、正六角形筒体と正六角形筒体、正八角形筒体と正八角形筒体から選ばれるいずれかの組合せであることを特徴とする上記３に記載の配管支持具用台座。
【００１２】
５．前記弾性係止部が、合成ゴム、天然ゴム、シリコンから選ばれるゴム状部材から形成された構成であることを特徴とする上記１〜４のいずれかに記載の配管支持具用台座。
【００１３】
６．前記弾性係止部が、コイル状バネ、板状バネから選ばれるバネ部材から形成された構成であることを特徴とする上記１〜４のいずれかに記載の配管支持具用台座。
【発明の効果】
【００１４】
請求項１に示す発明によれば、壁面に貼り付けられる吸音材・断熱材が様々な厚みに設定された場合であっても対応可能な配管支持具用台座を提供することができる。
【００１５】
特に、壁面固定部に対して配管支持具固定部が高さ調節可能な構成を有するので、吸音材・断熱材の厚みに応じて高さを適宜設定することにより配管支持具を取付固定するフランジ板を前記吸音材・断熱材の表面と略同等高さとすることができる。
また、壁面固定部の支持筒体に対して、配管支持具固定部のスライド筒体が高さ調節可能に重層する構成を有するので、壁面固定部に対して配管支持具を安定した状態で取り付けられる。従って、配管支持具固定部のフランジ板に載置固定される配管支持具を安定した状態で取り付けることができるので、壁面に沿って配管・配線を安定した状態で支持固定することができる。
更に、本発明の弾性係止部の押圧による摩擦係止させる構成によって耐振（耐震）性の向上、及びぐらつきの抑制効果が期待できる。
【００１６】
請求項２、請求項３又は請求項４に示す発明によれば、筒体として入手や加工が容易な材料で形成することが可能なので低コストで作成可能である。
【００１７】
請求項５に示す発明によれば、弾性係止部が容易に入手可能であるだけでなく容易に加工可能な材料を用いていることにより低コストで作成可能である。
【００１８】
請求項６に示す発明によれば、弾性係止部が容易に入手可能であるだけでなく容易に加工可能な材料を用いていることにより低コストで作成可能である。
【図面の簡単な説明】
【００１９】
【図１】本発明に係る配管支持具用台座の一実施例を示す５面図（正面図、平面図、底面図、左側面図、Ａ−Ａ線断面図。背面図は正面図と、右側面図は左側面図と、夫々対称のため省略。）
【図２】図１に示す配管支持具用台座の壁面固定部の５面図（正面図、平面図、底面図、左側面図、Ｂ−Ｂ線断面図。背面図は正面図と、右側面図は左側面図と、夫々対称のため省略。）
【図３】図１に示す配管支持具用台座の配管支持具固定部の５面図（正面図、平面図、底面図、左側面図、Ｃ−Ｃ線断面図。背面図は正面図と、右側面図は左側面図と、夫々対称のため省略。）
【図４】図１に示す配管支持具用台座の使用状態の一例を示す概略説明図
【図５】弾性係止部の他の例を示す要部断面図
【図６】弾性係止部の更に他の例を示す要部断面図
【図７】支持筒体及びスライド筒体の他の例を示す断面図
【図８】支持筒体及びスライド筒体の更に他の例を示す断面図
【発明を実施するための形態】
【００２０】
次に、添付の図面に従って本発明を詳細に説明する。
【００２１】
本発明に係る配管支持具用台座（以下、単に台座ということもある。）は、クッション性を有する吸音材・断熱材が貼り付けられた壁面に、配管・配線を配設支持する配管支持具を前記吸音材・断熱材の厚みを考慮した状態で取付けるためのものである。
【００２２】
本発明の配管支持具用台座１の具体的構成としては、図１〜図４に示す実施例によれば、
クッション性を有する吸音材・断熱材５が貼り付けられた壁面４に、配管・配線Ｐを配設支持する配管支持具６を前記吸音材・断熱材５の厚みを考慮した状態で取付けるための構成において、
台座１が、
ボルトやネジの如き固定手段７により壁面に固定される固定板２１と、該固定板２１から立設する正円筒体である支持筒体２２と、を有する壁面固定部２と、
配管支持具６が載置状態で固定されるフランジ板３１と、該フランジ板３１から垂設する正円筒体であるスライド筒体３２と、を有する配管支持具固定部３と、
を有し、
前記支持筒体２２の内側に前記スライド筒体３２が間隙を有して重層状態で挿通される構成であると共に、前記フランジ板３１の高さ位置が前記吸音材・断熱材５の表面と略同等高さとなるように前記支持筒体２２に対して前記スライド筒体３２が高さ調節可能にスライドする構成であり、
前記支持筒体２２と前記スライド筒体３２とが重層した際に間隙を有して対向する面の両方に、対向する面の方向に付勢されて該面を押圧する弾性係止部２４・３３が設けられ、
前記支持筒体２２に対して前記スライド筒体３２を、前記吸音材・断熱材５の厚み方向に前記弾性係止部２４・３３の押圧による摩擦係止に抗して移動させて任意の位置に摩擦係止することにより、前記吸音材・断熱材５の表面と略同等高さに配管支持具６を取付けることを可能とする構成であること、
を主構成とするものである。
尚、図１〜図４において、符号２５は固定板２１に穿かれて固定手段７が挿通される壁面固定用孔であり、符号３４はフランジ板３１に穿かれて配管支持具６を取付固定するためのボルト８が挿通螺合する配管支持具固定用孔であり、符号３５は壁面４に台座１を固定手段７によって固定する際に該固定手段７を緊締操作するためのドライバーの如き緊締具を挿通するためのドライバー挿通孔である。
【００２３】
以下、本発明の構成について更に詳説する。
【００２４】
壁面固定部２の支持筒体２２の内周面に設けられた弾性係止部２４と、配管支持具固定部３のスライド筒体３２の外周面に設けられた弾性係止部３３は、板状バネから形成されており、各々の筒体の表面に接着・溶着等の固定手段によって固定取付されている。板状バネとしては、ステンレス鋼板製バネ、アルミニウム鋼板製バネ、リン青銅板バネ、リボン鋼板バネ、ベイナイト鋼板バネ、チタン合金鋼板バネ、繊維強化プラスチック板バネ等、公知公用の板状バネを特別の制限なく用いることができる。
【００２５】
支持筒体２２に設けられた弾性係止部２４は、対抗する面であるスライド筒体３２の外周面の方向に付勢されて該外周面を押圧する。スライド筒体３２に設けられた弾性係止部３３は、対抗する面である支持筒体２２の内周面の方向に付勢されて該内周面を押圧する。これら弾性係止部２４・３３の押圧によってスライド筒体３２を支持筒体２２に対して摩擦係止される構成となる。かかる構成によって、弾性係止部２４・３３の摩擦に抗して、スライド筒体３２を支持筒体２２に対して摺動移動させて所望の位置まで移動させた後に摺動移動をやめることにより摩擦係止されるため、高さ調節が容易である。
【００２６】
上記構成を有する本発明の台座１は、ステンレス、亜鉛メッキ仕上げを施した鋳鉄鋼等の金属や、ポリプロピレン樹脂、ＡＢＳ樹脂等の合成樹脂等、この種の配管支持具として用いられる公知公用の材料から特別の制限なく形成されるものであるが、好ましくは重層状態で挿通される構成の支持筒体２２とスライド筒体３２は撓み性を有する構成であってもよい。
【００２７】
また、上記構成を有する本発明の台座１を用いる場合、図４に示すように、壁面４に貼られた吸音材・断熱材５に、該台座１が挿入可能な挿入穴を形成し、この挿入穴内に台座１を挿入し、固定板２１を壁面４にボルトやネジの如き固定手段７により固定する。
この挿入、固定の際、或いは挿入前に、前記吸音材・断熱材５の表面とフランジ板３１の位置が略同等高さとなるように、支持筒体２２に対してスライド筒体３２を摺動移動させる。この摺動移動によって高さを適宜設定することにより、配管支持具６を取付固定するフランジ板３１を前記吸音材・断熱材５の表面と略同等高さとすることができる。
固定板２１の壁面４への固定と、並びにフランジ板３１の高さ位置を吸音材・断熱材５の表面と略同等高さでの固定とが済んだ後、フランジ板３１に配管支持具６を載置し、ボルト８等によって取付固定する。
台座１に取付固定した配管支持具６に配管・配線Ｐを抱持支持させることによって、クッション性を有する吸音材・断熱材５が貼り付けられた壁面４に、配管・配線Ｐを配設支持することができる。
特に、弾性係止部２４・３３による強い摩擦によって係止させる構成とした場合には、壁面固定部２と配管支持具固定部３とが強固に連結された状態となるので、壁面４に対して配管Ｐを支持した配管支持具６の高さ位置は変動することなく確実に支持固定されることになる。
また、弾性係止部２４・弾性係止部３３による緩い状態でガタつきを許容させた状態で摩擦係止させる構成とした場合には、この緩い摩擦係止構成が配管Ｐの振動・震動（ウォーターハンマー現象、地震等の揺れ等）を吸収する緩衝機能を発揮することになる。特に、壁面４に取付けた際には本発明の台座１の周囲は吸音材・断熱材５に囲繞された状態となるので、配管Ｐが振動・震動した際には前記した緩い摩擦係止構成による緩衝機能に吸音材・断熱材５が有するクッション性が加わって二重の衝撃吸収機能を発揮するという相乗効果が生じることになる。
【００２８】
以上、本発明に係る配管支持具用台座の実施例について説明したが、本発明は上記構成に限定されず、本発明の範囲内において種々の態様を採ることができる。
【００２９】
例えば、支持筒体２２とスライド筒体３２の重層構成は、上記実施例では、スライド筒体３２が支持筒体２２の内側に重層状態で挿通される構成であったが、本発明はかかる構成に限定されず、支持筒体２２がスライド筒体３２の内側に重層状態で挿通される構成とすることもできる。
【００３０】
また上記実施例では、支持筒体２２とスライド筒体３２が大きさの異なる断面を有することにより重層状態で挿通可能な正円筒体と正円筒体の組合せである構成であったが、本発明はかかる構成に限定されず、支持筒体２２とスライド筒体３３が、大きさの異なる相似断面形状を有することにより重層状態で挿通可能な多角形筒体と多角形筒体の組合せであってもよい。多角形同士の組合せとしては、例えば、正三角形筒体と正三角形筒体（図７参照）、正四角形筒体と正四角形筒体（図８参照）、正五角形筒体と正五角形筒体、正六角形筒体と正六角形筒体、正八角形筒体と正八角形筒体等の組合せを挙げることができる。
【００３１】
また上記実施例では、支持筒体２２に弾性係止部２４、スライド筒体３２に弾性係止部３３が設けられた構成であったが、いずれか一方のみに設けられる構成であってもよい。更に上記実施例では、弾性係止部２４は支持筒体２２のスライド範囲の上方部分に設けられ、弾性係止部３３はスライド筒体３２の下方部分に設けられた構成であったが、弾性係止部２４・３３はスライド範囲の上方から下方に亘って設けられてもよい。
【００３２】
更に上記実施例では、弾性係止部２４・３３として板状バネから形成された構成としていたが、本発明はかかる構成に限定されず、例えば、図５に示す矩形体を有するゴム状部材や、図６に示すコイル状バネ等で形成された構成であってもよい。弾性係止部２４・３３をゴム状物質とした場合、公知公用のゴム状物質を用いることができ、例えば、合成ゴム、天然ゴム、シリコンから選ばれるゴム状部材を挙げることができる。
【符号の説明】
【００３３】
１  配管支持具用台座
２  壁面固定部
２１  固定板
２２  支持筒体
２４  弾性係止部
２５  壁面固定用孔
３  配管支持具固定部
３１  フランジ板
３２  スライド筒体
３３  弾性係止部
３４  配管支持具固定用孔
３５  ドライバー挿通孔
４  壁面
５  吸音材・断熱材
６  配管支持具
７  固定手段
８  ボルト
Ｐ  配管・配線
【図１】
2020070831.tif 000003
【図２】
2020070831.tif 000004
【図３】
2020070831.tif 000005
【図４】
2020070831.tif 000006
【図５】
2020070831.tif 000007
【図６】
2020070831.tif 000008
【図７】
2020070831.tif 000009
【図８】
2020070831.tif 000010